(57)【要約】      （修正有）【課題】利用者がたやすく、造形の立体物を作って、その造形の立体物を植物に取り付けて、その後枝と葉の修飾の利便性を図ることができる園芸と装飾用網モジュールの提供。【解決手段】複数の網モジュールより構成し、それぞれの網モジュールは網状表面と一つの外枠を含む。外枠は網状部材の外周面に設ける。複数の網モジュールを立体形状に組み立てるため、それぞれの網モジュールは折り曲げ可能である。網モジュールと網モジュールとの間は針金などの連結部品を使用しても良い。【選択図】図１
0003119129.tif 000002
【実用新案登録請求の範囲】
【請求項１】
複数の網モジュール、網モジュールそれぞれは折り曲げ可能であり、各網モジュールはさらに、網状表面に外周面を設け、外枠網状表面の外周面に固定し、複数の網モジュール、園芸と装飾用の網モジュールを組み立てることにより、立体造形を形成することを実現する園芸と装飾用の網モジュール。
【請求項２】
請求項１記載の園芸と装飾用網モジュールにおいて、園芸用の網モジュールは立体造形するまで、網モジュールそれぞれは平面形状であることを特徴とする、園芸と装飾用網モジュール。
【請求項３】
請求項１記載の園芸と装飾用網モジュールにおいて、園芸用の網モジュールを立体造形に組み立てたとき、各網モジュールの外枠は他の一つ以上の網モジュールに接続していることを特徴とする、園芸と装飾用網モジュール。
【請求項４】
請求項３記載の園芸と装飾用網モジュールにおいて、さらに、複数の折り曲げ可能な連結部品を設け、この複数の折り曲げ可能な連結部品はつなぎ合わせた網モジュールの外枠を連結することを特徴とする、園芸と装飾用網モジュール。
【請求項５】
請求項１記載の園芸と装飾用網モジュールにおいて、そのうち、各網状表面の材質は金属であることを特徴とする、園芸と装飾用網モジュール。
【請求項６】
請求項１記載の園芸と装飾用網モジュールにおいて、そのうち、各外枠の材質は金属であることを特徴とする、園芸と装飾用網モジュール。
【請求項７】
請求項１記載の園芸と装飾用網モジュールにおいて、そのうち、一つ以上のV形外周面を有することを特徴とする、園芸と装飾用網モジュール。
【考案の詳細な説明】
【技術分野】
【０００１】
本考案は一種の園芸造形または装飾目的に応用する補助器具に関わるものである。園芸造形分野は枝の造形修飾であり、装飾目的では室内外立体装飾、鳥籠、提灯、雪の積み上げ、雪彫刻品などがある。
【背景技術】
【０００２】
カジュマル(Ｆｉｃｕｓ ｍｉｃｒｏｃａｒｐａ)、ゲツキツ(Ｍｕｒｒａｙａ ｐａｎｉｃｕｌａｔａ)、カラコギカエデ(Ａｃｅｒ ｇｉｎｎａｌａ)、イブキビャクシン(Ｓａｂｉｎａ ｃｈｉｎｅｎｓｉｓ)、山椒(Ｚａｎｔｈｏｘｙｌｕｍ Ｐｉｐｅｒｉｔｕｍ) などの植物(通常は、５０センチから４メータまでのこんもり茂った木の葉を動物、幾何形状など面白い形状に修飾して、観賞と趣味効果があり、とっても喜ばれる。
【０００３】
従来には二つの方式がある。一つは修整職人の技能とその人のアイデアにより、自分が思った形状に修整する。このため、修整職人の技能は非常に専門家でなければならない。もう一つは材料に鉄筋や鉄棒を使用し、溶接方式によりスタイルを造り上げた後にそのひな型にそって、修整する。
【０００４】
前記二つの方式とも、非常に手間がかかり、外観も整然したレベルに仕上げることが難しいほか、完成品の再現性ができない。一方、体積が大きいため、携帯性および輸送性に制限を受ける。植物は引き続きに成長するため、修整された外観の維持が難しい。
【考案の開示】
【考案が解決しようとする課題】
【０００５】
本考案の主な目的は、利用者がたやすく、造形の立体物を作って、その造形の立体物を植物に取り付けて、その後枝と葉の修飾の利便性を図る。当然ながら、利用者は室内外立体装飾、鳥籠、提灯、雪の積み上げ、雪彫刻品など本考案を造形設計として、他用途に応用しても良い。
【０００６】
本考案もう一つの主な目的は、利用者は取扱説明書に従えば、複数の平面の網モジュールを立体の造形に組み立てることができる。使用後、利用者が簡単に取り外して、平面状な複数の網モジュールに戻して、輸送と収納に便利な複数の網モジュールを提供する。
【０００７】
前記の目的を達成するため、本考案の園芸と装飾用網モジュールは複数の網モジュールより構成し、それぞれの網モジュールは網状部材と一つの外枠を含まれる。外枠は網状部材の外周面に設ける。複数の網モジュールを立体の造形を組み立てるため、それぞれの網モジュールは折り曲げ可能である。
【０００８】
園芸と装飾目的の網モジュールは立体造形に組み立てるまでに、それぞれの網モジュールは平面状に収納し、体積を減らすことができる。それぞれの網モジュールは重なることなく、１枚の網モジュールの外枠は連結部品によって、もう１枚の網モジュールと接続できる。
【課題を解決するための手段】
【０００９】
請求項１の考案は、複数の網モジュール、網モジュールそれぞれは折り曲げ可能であり、各網モジュールはさらに、網状表面に外周面を設け、外枠網状表面の外周面に固定し、複数の網モジュール、園芸と装飾用の網モジュールを組み立てることにより、立体造形を形成することを実現する一種の園芸と装飾用の網モジュールとしている。
請求項２の考案は、請求項１記載の園芸と装飾用網モジュールにおいて、園芸用の網モジュールは立体造形するまで、網モジュールそれぞれは平面形状であることを特徴とする、園芸と装飾用網モジュールとしている。
請求項３の考案は、請求項１記載の園芸と装飾用網モジュールにおいて、園芸用の網モジュールを立体造形に組み立てたとき、各網モジュールの外枠は他の一つ以上の網モジュールに接続していることを特徴とする、園芸と装飾用網モジュールとしている。
請求項４の考案は、請求項３記載の園芸と装飾用網モジュールにおいて、さらに、複数の折り曲げ可能な連結部品を設け、この複数の折り曲げ可能な連結部品はつなぎ合わせた網モジュールの外枠を連結することを特徴とする、園芸と装飾用網モジュールとしている。
請求項５の考案は、請求項１記載の園芸と装飾用網モジュールにおいて、そのうち、各網状表面の材質は金属であることを特徴とする、園芸と装飾用網モジュールとしている。
請求項６の考案は、請求項１記載の園芸と装飾用網モジュールにおいて、そのうち、各外枠の材質は金属であることを特徴とする、園芸と装飾用網モジュールとしている。
請求項７の考案は、請求項１記載の園芸と装飾用網モジュールにおいて、そのうち、一つ以上のV形外周面を有することを特徴とする、園芸と装飾用網モジュールとしている。
【考案の効果】
【００１０】
本考案は一種の園芸と装飾用網モジュールに関わるもので、複数の網モジュールより構成し、それぞれの網モジュールは網状表面と一つの外枠を含む。外枠は網状部材の外周面に設ける。複数の網モジュールを立体形状に組み立てるため、それぞれの網モジュールは折り曲げ可能である。網モジュールと網モジュールとの間は針金などの連結部品を使用しても良い。
【考案を実施するための最良の形態】
【００１１】
本考案の園芸と装飾用網モジュールは園芸分野（装飾目的に含まれる）、または装飾分野に使用できるが、以下は園芸分野の応用例について説明する。
【００１２】
図１に示すものは、本考案の園芸用網モジュール１０を熊ちゃんの立体造形に組み立てられた実施態様である。本実施例において、園芸用網モジュール１０はさらに２６枚の網モジュール１０２〜１２７が使用されている。網モジュー１０２〜１２７の平面図は図２〜２７を参照ください。網モジュール１０２〜１２７を位置をはっきり描き出すため、網モジュール１０２〜１２７の網状部材の表面(後に説明)が描かれていない。網モジュール１０２は図１にその網状部材の表面を描いてある。
【００１３】
網モジュール１０２〜１２７の基本的な構造は同じであるが、形状とおおきさは、異なる。網モジュール１１９を以下のとおり、図１９、図２８および図２９と併せて説明する。網モジュール１１９は網モジュール表面3０と外枠４０を設け、外枠４０は網モジュール表面３０の外周面３１に固定する。複数の網モジュール１０２〜１２７を立体造形に組み立てるため、網モジュール１０２〜１２７それぞれは折り曲げ可能である。網モジュール１０２〜１２７の材質は鉄、真鍮などの金属または靱性を有するプラスチックを使用することが好ましいである。網形状表面３０は一般に使用されている金網を用いて、針金に溶接または編み込みにより、(外枠外４０)の外枠を作り上げた後、必要な形状に裁断する。網モジュール１１９は金属を使用するとき、図２９に示すとおり、錆防止と美観を図るため、網モジュール１１９をプラスチック液体に浸して、網形状表面３０と外枠４０の表面にプラスチックフィルム４５を覆う(従来の洋服ハンガーのようにプラスチックフィルム加工)。
【００１４】
園芸用網モジュール１０は、立体造形に組み立てるまでに、網モジュール１０２〜１２７は平面図にして、体積を減らすことができる。複数の網モジュール１０２〜１２７を組み立てるとき、利用者は組立説明書(図示していない)または組み立て後の立体図(図示していない)を参考することもできる。原則として、材料と組み立ての利便性を図るため、網モジュール１０２〜２７の網形状表面３０を重なることを避けて、網モジュール１０２〜１２７の外枠４０は少なくとも一つ以上の網モジュールの外枠４０に接続される。図１に示すとおり、網モジュール１２０の外枠は網モジュール１２４の外枠に接続する。
【００１５】
図１９に示すとおり、網モジュール１１９の外枠４０に三つのV形外周面４１を有し、V形外周面４１を接合した後、網モジュール１１９は設計により、図２８のような立体形状に仕上げることができる。V形外周面４１の接合方式はいろいろの方法が使える。たとえば、ひもでつなぐこともできる。テープ、リング、ベルト、針金などの連結部品５０を用いて、連結した外枠４０をつなぎ合わせる。本実施例において、連結部品５０は針金を使用する。それぞれの連結部品５０は外枠４０の連結場所に仮締めしておく、利用者はそのまま使用できる。当然ながら、各連結部品５０はあらかじめに外枠４０に取り付ける必要はない。連結部品５０を必要なとき、利用者が一つの連結部品５０を取って、使用することもできる。同じく、連結部品５０は連結された網モジュール１０２〜１２７の外枠４０をつなぎ合わせることもできる。
【００１６】
その他、網モジュール１０２〜１２７(網モジュール１１９を除く)の基本構造と網モジュール１１９は同じである。すなわち、網モジュール１０２〜１２７それぞれに網形状表面３０と外枠４０をそれぞれ有するため、ここでの説明を省略する。ただし、すべての網モジュールにV形外周面４１があることとは限らない。一例として、局部の立体外形を独立に表現必要がないため、網モジュール１０８にV形外周面４１を設けていない。
【００１７】
図３０は木の葉を修正する概略図である。園芸用の網モジュールを組み立てた造形枠、この実施例において、簡単な四角形の園芸用網モジュール１０ａを組み立てた上、小さい木９０に掛けて、利用者ははみ出した枝または木の葉を切り捨てることができる。
【００１８】
本考案は組み立てた後の熊ちゃんの立体造形を実施例に示したが、しかし、多く種類の立体造形に設計できる。また、同じ種類の立体造形であっても、様々な網状表面形状に設計できる。網状表面の設計は、組み立てた後の立体造形による。網状表面の最大と最小寸法は、組み立てと携帯、輸送の利便性を前提に考慮すべきである。
【図面の簡単な説明】
【００１９】
【図１】本考案の実施例における組み立て完了後の立体図である。
【図２】本考案の図１実施例における、各網モジュールの平面図である。
【図３】本考案の図１実施例における、各網モジュールの平面図である。
【図４】本考案の図１実施例における、各網モジュールの平面図である。
【図５】本考案の図１実施例における、各網モジュールの平面図である。
【図６】本考案の図１実施例における、各網モジュールの平面図である。
【図７】本考案の図１実施例における、各網モジュールの平面図である。
【図８】本考案の図１実施例における、各網モジュールの平面図である。
【図９】本考案の図１実施例における、各網モジュールの平面図である。
【図１０】本考案の図１実施例における、各網モジュールの平面図である。
【図１１】本考案の図１実施例における、各網モジュールの平面図である。
【図１２】本考案の図１実施例における、各網モジュールの平面図である。
【図１３】本考案の図１実施例における、各網モジュールの平面図である。
【図１４】本考案の図１実施例における、各網モジュールの平面図である。
【図１５】本考案の図１実施例における、各網モジュールの平面図である。
【図１６】本考案の図１実施例における、各網モジュールの平面図である。
【図１７】本考案の図１実施例における、各網モジュールの平面図である。
【図１８】本考案の図１実施例における、各網モジュールの平面図である。
【図１９】本考案の図１実施例における、各網モジュールの平面図である。
【図２０】本考案の図１実施例における、各網モジュールの平面図である。
【図２１】本考案の図１実施例における、各網モジュールの平面図である。
【図２２】本考案の図１実施例における、各網モジュールの平面図である。
【図２３】本考案の図１実施例における、各網モジュールの平面図である。
【図２４】本考案の図１実施例における、各網モジュールの平面図である。
【図２５】本考案の図１実施例における、各網モジュールの平面図である。
【図２６】本考案の図１実施例における、各網モジュールの平面図である。
【図２７】本考案の図１実施例における、各網モジュールの平面図である。
【図２８】本考案の図１９実施例の網モジュールより組み立てた立体図である。
【図２９】本考案の図１９実施例の網モジュールの局部拡大図である。
【図３０】木の葉修整の概略図である。
【符号の説明】
【００２０】
１０  園芸用網モジュール
３０  網状表面
４０  外枠
４１  V形外周面
１０２〜１２７  網モジュール
３１  外周面
４５  プラスチックフィルム
９０  小さい樹木
【図１】
0003119129.tif 000003
【図２】
0003119129.tif 000004
【図３】
0003119129.tif 000005
【図４】
0003119129.tif 000006
【図５】
0003119129.tif 000007
【図６】
0003119129.tif 000008
【図７】
0003119129.tif 000009
【図８】
0003119129.tif 000010
【図９】
0003119129.tif 000011
【図１０】
0003119129.tif 000012
【図１１】
0003119129.tif 000013
【図１２】
0003119129.tif 000014
【図１３】
0003119129.tif 000015
【図１４】
0003119129.tif 000016
【図１５】
0003119129.tif 000017
【図１６】
0003119129.tif 000018
【図１７】
0003119129.tif 000019
【図１８】
0003119129.tif 000020
【図１９】
0003119129.tif 000021
【図２０】
0003119129.tif 000022
【図２１】
0003119129.tif 000023
【図２２】
0003119129.tif 000024
【図２３】
0003119129.tif 000025
【図２４】
0003119129.tif 000026
【図２５】
0003119129.tif 000027
【図２６】
0003119129.tif 000028
【図２７】
0003119129.tif 000029
【図２８】
0003119129.tif 000030
【図２９】
0003119129.tif 000031
【図３０】
0003119129.tif 000032